(57)【要約】【課題】記録目的に適合した最適な記録動作を期待できる光ディスク装置とデータ記録方法を提供することを目的とする。【解決手段】光ディスクが記録可能かを判断し（Ｓ２）、記録可能な媒体の場合は記録可能な領域を取得し（Ｓ３）、記録するデータの記録容量を取得し（Ｓ４）、記録容量より記録時間を算出し（Ｓ５）、光ディスクの反りを取得し（Ｓ６）、これらの情報をバッファに記憶し（Ｓ７）、記録目的に応じて（Ｓ８）光ディスクの記録可能な領域の中で最適な記録領域を自動判定して記録する（Ｓ８−１，Ｓ８−２，Ｓ８−３，Ｓ８−４）。【選択図】図２
2008210482.tif 000002
【特許請求の範囲】
【請求項１】
光ディスクを回転させるスピンドルモータと、
前記スピンドルモータを制御するサーボ回路と、
光ディスクに再生および記録を行う光ピックアップと、
前記光ピックアップより出力される再生信号の増幅やフィルタ処理を行う再生信号処理回路と、
前記再生信号処理回路により処理された再生信号のディジタル復調や誤り訂正処理を行うシステム処理回路と、
前記システム処理回路および前記サーボ回路を制御するシステムコントローラとを備え、
前記システムコントローラを、記録目的に応じたデータの記録位置がプログラム、認識した記録目的に応じて前記プログラムで指定される前記光ディスクの領域に記録するように運転するよう構成した
光ディスク装置。
【請求項２】
セットされた光ディスクにデータを記録するに際し、
前記光ディスクが記録可能な媒体かどうかを判別する第１ステップと、
前記光ディスクの記録可能な領域を取得する第２ステップと、
前記光ディスクに記録するデータ量を算出する第３ステップと、
前記光ディスクに記録するデータ量から記録時間を算出する第４ステップと、
前記光ディスクの反りを検出する第５ステップと、
前記第１〜第４のステップの結果を記憶する第６ステップと、
前記光ディスクの記録可能な領域にデータを記録する際に記録目的に応じて最適な領域を使用して記録する第７ステップと
を備えたことを特徴とするデータ記録方法。
【請求項３】
第７ステップは、
記録時間をできるだけ短くしたい場合は、前記第２ステップより取得された前記光ディスクの記録可能な領域の中で最も内周の領域を使用して記録を行う
請求項２記載のデータ記録方法。
【請求項４】
第７ステップは、
記録時の騒音をできるだけ小さくしたい場合、記録時の消費電流をできるだけ小さくしたい場合、また記録品質をできるだけ安定にしたい場合は、前記第２ステップより取得された光ディスクの記録可能な領域の中で最も外周の領域を使用して記録を行う
請求項２記載のデータ記録方法。
【請求項５】
第７ステップは、
記録媒体の反りの影響を除きたい場合は、前記第２ステップより取得された記録媒体の記録可能な領域の中で、前記第５ステップより取得された記録媒体の反りの部分を除いて記録を行う
請求項２記載のデータ記録方法。
【請求項６】
第７ステップは、
同一機種の光ディスク装置でのみ再生可能な記録を行いたい場合は、第２ステップより取得された記録可能な領域の中で、特定の一部分の領域を使用して記録を行う
請求項２記載のデータ記録方法。
【請求項７】
第７ステップは、アプリケーションソフトから指定された記録目的に応じて動作する
請求項２記載のデータ記録方法。
【請求項８】
第７ステップは、光ディスク装置に備えられた選択機能構造から指定された記録目的に応じて動作する
請求項２記載のデータ記録方法。
【発明の詳細な説明】
【技術分野】
【０００１】
本発明は光ディスクへのデータ記録方法に関し、特に光ディスクの記録可能な領域の中で記録目的に応じて最適な領域を使用し記録する光ディスク装置、およびデータ記録方法に関する。
【背景技術】
【０００２】
光ディスク装置は一般に線速度一定（ＣＬＶ方式）で、単に、光ディスクの内周の記録可能な領域から外周に向けて記録を行っている。
【特許文献１】特開２００５−２４３０５４公報
【発明の開示】
【発明が解決しようとする課題】
【０００３】
このような従来のデータ記録方法では、記録目的に関係なく、光ディスクの内周の記録可能な領域から外周に向けて記録を行う方法であるため、目的に適合した最適な記録動作を期待できないおそれがある。
【０００４】
具体的には、目的として記録時間をできるだけ短くしたい場合、記録時の騒音をできるだけ小さくしたい場合、記録時の消費電流をできるだけ小さくしたい場合、記録品質をできるだけ安定にしたい場合、光ディスクの反りの影響を除いて記録したい場合、同一機種の光ディスク装置でのみ再生可能な記録を行いたい場合と、各記録目的を持っていたとしても、従来では何れの場合にも、光ディスクの内周の記録可能な領域から外周に向けて記録を行うだけである。
【０００５】
本発明は、記録目的に適合した最適な記録動作を期待できる光ディスク装置とデータ記録方法を提供することを目的とする。
【課題を解決するための手段】
【０００６】
本発明の請求項１記載の光ディスク装置は、光ディスクを回転させるスピンドルモータと、前記スピンドルモータを制御するサーボ回路と、光ディスクに再生および記録を行う光ピックアップと、前記光ピックアップより出力される再生信号の増幅やフィルタ処理を行う再生信号処理回路と、前記再生信号処理回路により処理された再生信号のディジタル復調や誤り訂正処理を行うシステム処理回路と、記システム処理回路および前記サーボ回路を制御するシステムコントローラとを備え、前記システムコントローラを、記録目的に応じたデータの記録位置がプログラムされており、認識した記録目的に応じて前記プログラムで指定される前記光ディスクの領域に記録するように運転するよう構成したことを特徴とする。
【０００７】
本発明の請求項２記載のデータ記録方法は、セットされた光ディスクにデータを記録するに際し、前記光ディスクが記録可能な媒体かどうかを判別する第１ステップと、前記光ディスクの記録可能な領域を取得する第２ステップと、記光ディスクに記録するデータ量を算出する第３ステップと、前記光ディスクに記録するデータ量から記録時間を算出する第４ステップと、前記光ディスクの反りを検出する第５ステップと、前記第１〜第４のステップの結果を記憶する第６ステップと、記光ディスクの記録可能な領域にデータを記録する際に記録目的に応じて最適な領域を使用して記録する第７ステップとを備えたことを特徴とする。
【０００８】
本発明の請求項３記載のデータ記録方法は、請求項２において、第７ステップは、記録時間をできるだけ短くしたい場合は、前記第２ステップより取得された前記光ディスクの記録可能な領域の中で最も内周の領域を使用して記録を行うことを特徴とする。
【０００９】
本発明の請求項４記載のデータ記録方法は、請求項２において、第７ステップは、記録時の騒音をできるだけ小さくしたい場合、記録時の消費電流をできるだけ小さくしたい場合、また記録品質をできるだけ安定にしたい場合は、前記第２ステップより取得された光ディスクの記録可能な領域の中で最も外周の領域を使用して記録を行うことを特徴とする。
【００１０】
本発明の請求項５記載のデータ記録方法は、請求項２において、第７ステップは、記録媒体の反りの影響を除きたい場合は、前記第２ステップより取得された記録媒体の記録可能な領域の中で、前記第５ステップより取得された記録媒体の反りの部分を除いて記録を行うことを特徴とする。
【００１１】
本発明の請求項６記載のデータ記録方法は、請求項２において、第７ステップは、同一機種の光ディスク装置でのみ再生可能な記録を行いたい場合は、第２ステップより取得された記録可能な領域の中で、特定の一部分の領域を使用して記録を行うことを特徴とする。
【００１２】
本発明の請求項７記載のデータ記録方法は、請求項２において、第７ステップは、アプリケーションソフトから指定された記録目的に応じて動作することを特徴とする。
本発明の請求項８記載のデータ記録方法は、請求項２において、第７ステップは、光ディスク装置に備えられた選択機能構造から指定された記録目的に応じて動作することを特徴とする。
【発明の効果】
【００１３】
この構成によれば、光ディスクの記録可能な領域の中で記録時間をできるだけ短くしたり、記録時の騒音をできるだけ小さくしたり、記録時の消費電流をできるだけ小さくしたり、記録品質をできるだけ安定にしたり、記録媒体の反りの影響を除いて記録したり、同一機種の光ディスク装置でのみ再生可能な記録を行うことができる。
【発明を実施するための最良の形態】
【００１４】
以下、本発明のデータ記録方法を具体的な実施の形態に基づいて説明する。
図１は本発明の光ディスク装置を示す。
この光ディスク装置１は、光ディスク２をスピンドルモータ３によって回転させる。このスピンドルモータ３の動作はサーボ回路４によって制御され、再生および記録時には光ディスク２が線速度一定で、もしくは角速度一定で回転するようにされる。また光ディスク２の再生および記録は、レーザビームＬＢを使用した光ピックアップ５を使用して行われる。光ピックアップ５のフォーカス、トラッキング、シーク等の動作はサーボ回路４によって制御される。
【００１５】
光ピックアップ５より出力される再生信号は再生信号処理回路６に供給され、再生信号の増幅やフィルタ処理が行われる。再生信号処理回路６で処理された再生信号は、システム処理回路７に供給されてディジタル復調、誤り訂正などの処理が行われて、光ディスク２に記録されたディジタルデータが得られる。このシステム処理回路７およびサーボ回路４の動作は、それぞれのシステムコントローラ９によって制御される。
【００１６】
図２はシステムコントローラ９の構成を示している。
光ディスク２に記録を行う際に、システムコントローラ９は次のように動作する。
まず、ステップＳ１では光ディスク２をロードする。
【００１７】
ステップＳ２では記録を行いたい光ディスク２が記録可能な媒体かどうかを光ピックアップ５から得られる再生信号により判別する。記録可能な媒体である場合は、ステップＳ３以降を実行する。
【００１８】
ステップＳ３では、光ディスク２の中で記録可能な領域をあらかじめ光ディスク２に書かれたデータを元に取得する。ステップＳ４では、光ディスク２に記録したいデータ量を算出し、そのデータ量より記録にかかる時間をステップＳ５で算出する。さらにステップＳ６では、光ディスク２の反りを光ピックアップ５から得られる再生信号より検出する。ステップＳ７では、ステップＳ３からステップＳ６で得られた情報がバッファ８に一時的に記憶される。
【００１９】
このシステムコントローラ９には、記録目的別に光ディスク２の記録領域が設定されており、ステップＳ８では、ソフトウエア的に、もしくはハードウエア的に指示された記録目的を認識して、ステップＳ８−１〜ステップＳ８−４の何れかを実行して光ディスク２に記録を実施する。
【００２０】
具体的には、ステップＳ８で認識した記録目的が“記録時間を短くしたい場合”であった場合には、ステップＳ８−１を実行して光ディスク２の記録可能な領域の中で最内周領域に対して記録を実施する。
【００２１】
ステップＳ８で認識した記録目的が“記録時の騒音を小さくしたい場合”“記録時の消費電流を小さくしたい場合”“記録時の記録品質を安定にしたい場合”の何れかであった場合には、ステップＳ８−２を実行して光ディスク２の記録可能な領域の中で最外周領域に対して記録を実施する。
【００２２】
ステップＳ８で認識した記録目的が“光ディスク２の反りの影響を除いて記録したい場合”であった場合には、ステップＳ８−３を実行して光ディスク２の記録可能な領域の中で反りの無い領域に対して記録を実施する。
【００２３】
ステップＳ８で認識した記録目的が“同一機種の光ディスク装置でのみ再生できるように記録したい場合”であった場合には、ステップＳ８−４を実行して光ディスク２の記録可能な領域の中で特定の一部分の領域に対して記録を実施する。
【００２４】
このようにシステムコントローラ９は、記録目的に応じて、光ディスク２の記録可能な領域の中で最適な領域を使用し記録できる。
図３〜図６に基づいて、ステップＳ８−１，ステップＳ８−２，ステップＳ８−３，ステップＳ８−４の各ステップを説明する。
【００２５】
図３はステップＳ８−１の具体例を示している。
図３（ａ）に示す光ディスク２では、内周のアドレスＡＤ１から外周のＡＤ２まで記録可能な領域である。仮に記録容量Ｃ１のデータを記録する場合、光ディスク２の記録可能な領域の中で一番内周の領域、ここではアドレスＡＤ１から記録が開始され記録容量Ｃ１のデータを記録後のアドレスＡＤ３まで記録が行われる。
【００２６】
図３（ｂ）に示すように既に内周のアドレスＡＤ１からアドレスＡＤ４の領域に記録済みの領域が存在する光ディスク２では、記録容量Ｃ１のデータは、光ディスク２の記録可能な領域の中で一番最内周となるアドレスＡＤ４から記録が開始され、記録容量Ｃ１のデータを記録後のアドレスＡＤ５まで記録が行われる。この記録方法により、光ディスク２の記録可能な領域の中でできるだけ記録時間を短くできる。
【００２７】
図４はステップＳ８−２の具体例を示している。
図４（ａ）に示す光ディスクでは、内周のアドレスＡＤ１から外周のＡＤ２まで記録可能な領域である。仮に記録容量Ｃ１のデータを記録する場合、光ディスクの記録可能な領域の中で一番外周の領域、ここではアドレスＡＤ３から記録が開始され記録容量Ｃ１のデータを記録後のアドレスＡＤ２まで記録が行われる。次に図４（ｂ）に示すように既に外周のアドレスＡＤ４からアドレスＡＤ２の領域に記録済み部分が存在する場合についての記録方法を説明する。この場合は、記録容量Ｃ１のデータは、光ディスクの記録可能な領域の中で一番最外周となるアドレスＡＤ５から記録開始され、記録容量Ｃ１のデータを記録後のアドレスＡＤ４まで記録が行われる。この記録方法により、光ディスク２の記録可能な領域の中で記録時の騒音をできるだけ小さくしたり、記録時の消費電流をできるだけ小さくたり、記録品質をできるだけ安定にしたりすることができる。
【００２８】
図５はステップＳ８−３の具体例を示している。
図５に示す光ディスクでは、内周のアドレスＡＤ１から外周のＡＤ２まで記録可能な領域であるが、アドレスＡＤ４からアドレスＡＤ２の領域には反りが存在している。仮に記録容量Ｃ１のデータを記録する場合、光ディスクの記録可能な領域の中で反りの領域を除いた最外周の領域、ここではアドレスＡＤ３から記録が開始され記録容量Ｃ１のデータを記録後のアドレスＡＤ４まで記録が行われる。この記録方法により、光ディスク２の記録可能な領域の中で記録時に光ディスクの反りの影響を除いて記録することができる。
【００２９】
図６はステップＳ８−４の具体例を示している。
図６に示す光ディスクでは、内周のアドレスＡＤ１から外周のＡＤ２まで記録可能な領域である。仮に記録容量Ｃ１のデータを記録する場合、光ディスクの記録可能な領域の中で一部分の領域、ここではアドレスＡＤ３から記録が開始され記録容量Ｃ１のデータを記録後のアドレスＡＤ４まで記録が行われる。また図６に示す光ディスクでは、アドレスＡＤ１の内側のアドレスＡＤ０からＡＤ１に記録領域管理領域ＣＡを備えており、アドレスＡＤ３からアドレスＡＤ４までの記録領域Ｃ１を記録する際に、これらのアドレス情報の記録が行われる。このようにして記録された光ディスクを再生する際は、記録領域管理領域ＣＡに書かれている記録領域Ｃ１のアドレス情報を読み出す機能を備えた光ディスク装置１でのみ再生を行うことができる。この記録方法により、光ディスク２に記録を行う際に同一機種の光ディスク装置でのみ再生可能な記録を行うことができる。
【００３０】
なお、図２においてステップＳ３，ステップＳ４，ステップＳ５，ステップＳ６の処理の順番は問わない。なお、ステップＳ３，ステップＳ４，ステップＳ５，ステップＳ６は請求項の記載の第２ステップ，第３ステップ，第４ステップ，第５ステップに対応しており、第２ステップ，第３ステップ，第４ステップ，第５ステップの順番は問わない。
【００３１】
また、図２のステップＳ８における“ソフトウエア的に指示された記録目的を認識して”とは、アプリケーションソフトから指定された記録目的に応じて動作することであって、具体的には、アプリケーションソフトが備えた“記録時間を短くしたい場合”、“記録時の騒音を小さくしたい場合”“記録時の消費電流を小さくしたい場合”“記録時の記録品質を安定にしたい場合”、“光ディスク２の反りの影響を除いて記録したい場合”、“同一機種の光ディスク装置でのみ再生できるように記録したい場合”の各記録方法のモード選択ボタンから、実際に行いたい記録方法のモード選択ボタンをクリックすることで、記録目的を認識させるような動作例を挙げることができる。
【００３２】
“ハードウエア的に指示された記録目的を認識して”とは、光ディスク装置に備えられた選択機能構造から指定された記録目的に応じて動作することであって、具体的には、光ディスク装置が備えた、“記録時間を短くしたい場合”、“記録時の騒音を小さくしたい場合”“記録時の消費電流を小さくしたい場合”“記録時の記録品質を安定にしたい場合”、“光ディスク２の反りの影響を除いて記録したい場合”、“同一機種の光ディスク装置でのみ再生できるように記録したい場合”の各記録方法のモード選択ボタンから、実際に行いたい記録方法のモード選択ボタンを押すことで、記録目的を認識させるような動作例を挙げることができる。
【産業上の利用可能性】
【００３３】
本発明はデータの記録目的に応じた適正な動作で光ディスクに自動記録することができ、光ディスク装置を搭載した各種情報機器の高機能化に寄与できる。
【図面の簡単な説明】
【００３４】
【図１】光ディスク装置の構成図
【図２】同実施の形態のシステムコントローラのフロー図
【図３】同実施の形態のステップＳ８−１の説明図
【図４】同実施の形態のステップＳ８−２の説明図
【図５】同実施の形態のステップＳ８−３の説明図
【図６】同実施の形態のステップＳ８−４の説明図
【符号の説明】
【００３５】
１    光ディスク装置
２    光ディスク
３    スピンドルモータ
４    サーボ回路
５    光ピックアップ
６    再生信号処理回路
７    システム処理回路
８    バッファ
９    システムコントローラ
【図１】
2008210482.tif 000003
【図２】
2008210482.tif 000004
【図３】
2008210482.tif 000005
【図４】
2008210482.tif 000006
【図５】
2008210482.tif 000007
【図６】
2008210482.tif 000008